(57)【要約】      （修正有）【課題】風味の良好な飲料をいつでも手軽に楽しむことを可能にする所定の飲料容器のカートリッジを提供する。【解決手段】容器１は、ミネラル飲料水２を収容可能な容器本体１１と，容器本体の栓を成すキャップと，カートリッジに孔をあけるための孔あけバネ６１と，を有している。飲用する際には、カートリッジ４１を容器本体１１の開口部に押し込むとともに、カートリッジ４１の把手を摘まんで回転させる。その結果、孔あけバネ６１によってカートリッジ４１が穿孔，裂開される。このようなカートリッジがあれば、飲用直前にミネラル飲料水に対して好みの成分を添加することにより、所望の飲料を自分で用意することができる。その結果、たとえば炒りたてで香り豊かな味わいのコーヒーや、保存料等の有害物質を含むことのない安全な飲料をいつでも手軽に楽しむことが可能になる。【選択図】図６
2006143296.tif 000002
【特許請求の範囲】
【請求項１】
内側にミネラル飲料水を収容しており、当該飲料水を排出可能な開口部を口元部分に備えた容器本体と；前記容器本体の栓を成すキャップと；を備えた飲料用の容器との組み合わせで用いられるカートリッジであって、
前記容器本体内のミネラル飲料水に対して添加，混合される添加物を収容することを特徴とするカートリッジ。
【請求項２】
前記カートリッジに収容された添加物は、お茶成分，コーヒー成分，辛味成分，香料，果汁，糖類，塩，乳酸菌，ビタミン，ミネラル，アミノ酸，コラーゲン，粉状・粒状・顆粒状・タブレット状・液体状・ペースト状の加工食品の少なくとも一種を含有することを特徴とする請求項１記載のカートリッジ。
【請求項３】
前記カートリッジは、シール材によって気密シールされた状態で、前記添加物を収容しており、
前記容器は、さらに、前記カートリッジのシール材に孔をあけるための穿孔部材を備えていることを特徴とする請求項１又は２記載のカートリッジ。
【請求項４】
前記カートリッジは把手を備えており、
前記穿孔部材は、前記容器本体の口元部分の内側に設けられており、
前記ミネラル飲料水に前記添加物を添加する際には、シール材が前記穿孔部材側を向いた状態で前記カートリッジを前記容器本体の開口部を介して押し込むとともに、前記把手を摘まんで前記カートリッジを回転させ、その結果、穿孔部材によって前記シール材が穿孔，裂開されるようになっていることを特徴とする請求項３記載のカートリッジ。
【請求項５】
前記容器本体は、
略円筒状に形成された口元部分と、
前記口元部分の下端又は途中の内壁から突出するように設けられた略環状の段部と、
前記口元部分の内側通路を閉塞するように前記段部上に貼付されており、前記容器を気密シールするためのシール材と、を有しており、
前記穿孔部材は、
前記口元部分の内側通路を通行可能であるが、前記段部を通過することが不可能な形状および寸法を有するように形成され、前記容器本体の口元部分に設けられたシール材の上側に載置されており、
前記カートリッジのシール材を穿孔するための突起と、
前記容器本体のシール材を穿孔するための突起と、を有しており、
前記カートリッジは、
前記口元部分の内側通路を通行可能であるが、前記段部を通過することが不可能な形状および寸法を有するように形成されていることを特徴とする請求項４記載のカートリッジ。
【発明の詳細な説明】
【技術分野】
【０００１】
本発明は飲料用の容器との関係で用いられるカートリッジに関する。
【背景技術】
【０００２】
現在市販されている飲料には様々な種類のものがあり、その多くは、たとえば図９に示すような形状のＰＥＴボトルに収容された状態で販売されている。
【０００３】
しかしながら、飲料の種類によっては、品質を保持するための酸化防止剤などが添加されているものがある。また、時間の経過に伴って風味が損なわれるものもある。
【０００４】
したがって、人体に良好で且つ風味の良好な飲料を楽しむ観点からは、飲用直前において、たとえば天然のミネラルウォーターに好みの成分（お茶成分やコーヒー成分）を添加して、所望の飲料を自分で用意することが好ましい。
【発明の開示】
【発明が解決しようとする課題】
【０００５】
そこで、上述した背景に鑑み、本発明の目的は、風味の良好な飲料（たとえば炒りたてで香り豊かな味わいのコーヒー）や、保存料等の有害物質を含むことのない安全な飲料を、いつでも手軽に楽しむことを可能にする所定の飲料容器用のカートリッジを提供することにある。
【課題を解決するための手段】
【０００６】
このような目的は、下記（１）〜（５）記載の本発明によって達成される。
【０００７】
（１）  内側にミネラル飲料水を収容しており、当該飲料水を排出可能な開口部を口元部分に備えた容器本体と；前記容器本体の栓を成すキャップと；を備えた飲料用の容器との組み合わせで用いられるカートリッジであって、
前記容器本体内のミネラル飲料水に対して添加，混合される添加物を収容することを特徴とするカートリッジ。
【０００８】
（２）  前記カートリッジに収容された添加物は、お茶成分，コーヒー成分，辛味成分，香料，果汁，糖類，塩，乳酸菌，ビタミン，ミネラル，アミノ酸，コラーゲン，粉状・粒状・顆粒状・タブレット状・液体状・ペースト状の加工食品の少なくとも一種を含有することを特徴とする上記（１）記載のカートリッジ。
【０００９】
（３）  前記カートリッジは、シール材によって気密シールされた状態で、前記添加物を収容しており、
前記容器は、さらに、前記カートリッジのシール材に孔をあけるための穿孔部材を備えていることを特徴とする上記（１）又は（２）記載のカートリッジ。
【００１０】
（４）  前記カートリッジは把手を備えており、
前記穿孔部材は、前記容器本体の口元部分の内側に設けられており、
前記ミネラル飲料水に前記添加物を添加する際には、シール材が前記穿孔部材側を向いた状態で前記カートリッジを前記容器本体の開口部を介して押し込むとともに、前記把手を摘まんで前記カートリッジを回転させ、その結果、穿孔部材によって前記シール材が穿孔，裂開されるようになっていることを特徴とする上記（３）記載のカートリッジ。
【００１１】
（５）  前記容器本体は、
略円筒状に形成された口元部分と、
前記口元部分の下端又は途中の内壁から突出するように設けられた略環状の段部と、
前記口元部分の内側通路を閉塞するように前記段部上に貼付されており、前記容器を気密シールするためのシール材と、を有しており、
前記穿孔部材は、
前記口元部分の内側通路を通行可能であるが、前記段部を通過することが不可能な形状および寸法を有するように形成され、前記容器本体の口元部分に設けられたシール材の上側に載置されており、
前記カートリッジのシール材を穿孔するための突起と、
前記容器本体のシール材を穿孔するための突起と、を有しており、
前記カートリッジは、
前記口元部分の内側通路を通行可能であるが、前記段部を通過することが不可能な形状および寸法を有するように形成されていることを特徴とする上記（４）記載のカートリッジ。
【発明の効果】
【００１２】
上記（１）記載の本発明によれば、カートリッジには、ミネラル飲料水に対して添加，混合される添加物（お茶，コーヒー，各種ビタミンなどの無害成分）が収容されている。したがって、飲用直前において、ミネラル飲料水に対して、好みの成分を添加することにより、所望の飲料を自分で用意することができる。その結果、出来立てで風味の良好な飲料（たとえば炒りたてで香り豊かな味わいのコーヒー）や、保存料等の有害物質を含むことのない安全な飲料を、いつでも手軽に楽しむことが可能になる。
また、カートリッジに収容された添加物を自分の手で添加，混合することにより、自分に合った飲料（たとえば、好みの風味の飲料や、自分に不足している栄養分を含有した飲料）を自らの手で用意するといった作業を手軽に楽しむことができる。
【００１３】
上記（２）記載の本発明によれば、様々な種類の添加物を収容したカートリッジを提供することができる。その結果、飲用者は、健康状態や自分の好みに応じてカートリッジを選ぶことが可能になるとともに、様々なタイプの飲料を手軽に楽しむことが可能になる。
【００１４】
上記（３）記載の本発明によれば、カートリッジは、穿孔部材を備えた容器との関係で用いられるので、カートリッジのシール材を簡単に穿孔することができる。その結果、カートリッジ内の添加物を、迅速にミネラル飲料水に添加することができる。また、カートリッジはシール材によって気密シールされているので、中身の添加物の状態を長期間に亘って良好に保つことができる。
【００１５】
上記（４）記載の本発明によれば、カートリッジを容器本体の開口部に押し込む際に、その把手を掴みながら回転させることができるようになっている。その結果、カートリッジのシール材を大きく切り裂くことができるので、カートリッジから添加物を落下させ易くなる。その結果、添加物をより簡単にミネラル飲料水に添加することができる。
【００１６】
上記（５）記載の本発明によれば、カートリッジは、段部を超えて容器本体の内側へ進入しないようになっている。これにより、カートリッジの押込み操作の際に、カートリッジが飲料水中に落下することを防止することができる。
【発明を実施するための最良の形態】
【００１７】
〔容器の概略構成〕
まず最初に、図１に基づいて、本発明に係るカートリッジが用いられることとなる飲料用容器の概略構成を説明する。
図１は、飲料用の容器１の主要部分を示す縦断面図である。
【００１８】
飲料用の容器１は、ＰＥＴ（Polyethylene Terephthalate）製の容器本体１１と、コップとしても利用可能なキャップ３１と、後述する本発明のカートリッジに孔をあけるための穿孔部材（孔あけバネ）６１と、を有している。
【００１９】
容器本体１１には、ミネラル飲料水２がアルミ箔１７によって気密シールされた状態で収容されている。この飲料水２を飲用する際には、本発明のカートリッジ（図４参照）に収容された添加物を投下してミネラル飲料水２に添加するようになっている。
【００２０】
〔容器本体及びキャップ〕
次に、図１及び図２に基づいて、容器１の一部を成す容器本体１１及びキャップ３１の構成を詳細に説明する。
図２は、図１の容器１が有する容器本体１１を示す縦断面図である。
【００２１】
容器本体１１は、内側にミネラル飲料水２が収容されており、図２に示すように略円筒状に形成された口元部分１３と、略環状の段部１５と、容器本体１１を気密シールするためのアルミ箔（シール材）１７と、を有している。
【００２２】
略円筒状の口元部分１３の内側には、ミネラル飲料水２を外側へ排出可能な開口部（通路）１９が形成されている。
【００２３】
略環状の段部１５は、図２に示すように、口元部分１３の下端の内壁側から突出するように形成されている。なお、段部１５は、口元部分１３の内壁の途中付近に形成するようにしてもよい。
【００２４】
シール材を成すアルミ箔１７は、図１に示すように、口元部分１３の内側通路を閉塞するように段部１５上に貼付されており、容器本体１１を気密シールするようになっている。
【００２５】
容器本体１１の栓を成すキャップ３１は、コップ形状を有するように形成されている。飲用時においては、取り外したキャップ３１をコップとして利用することができるようになっている。
【００２６】
〔穿孔部材〕
次に、図３に基づいて、容器１の一部を成す穿孔部材６１の構成を詳細に説明する。
図３は、図１の容器１が有する穿孔部材６１を示す図である。この図３において、図３（Ａ）は穿孔部材６１を示す上面図である。図３（Ｂ）は穿孔部材６１を示す側面図である。
【００２７】
孔あけバネである穿孔部材６１は、略Ｓ字状のバネ形状を有する弾性部材から成り、後述するカートリッジ４１のアルミ箔４９を穿孔するための上突起６３と、容器本体１１のアルミ箔１７を穿孔するための下突起６５と、を有している。
【００２８】
また、穿孔部材６１は、容器本体１１の口元部分１３の内側通路を通行可能であるが、段部１５を通過することが不可能な形状および寸法を有するように形成されている。これにより、カートリッジ４１の押込み操作の際に、穿孔部材６１の端が段部１５に引っ掛かるので、穿孔部材６１の飲料水中への落下が防止されるようになっている。
【００２９】
上述した構成の穿孔部材６１は、図１に示すように、容器本体１１の口元部分１３内側の開口部１９に配置され、シール材１７の上側に載置されている。
【００３０】
〔カートリッジ〕
次に、図４に基づいて、本発明に係るカートリッジの構成を詳細に説明する。
図４は、図１の容器１が有するカートリッジ４１を示す図である。この図４において、図４（Ａ）はカートリッジ４１を示す斜視図である。図４（Ｂ）はカートリッジ４１を示す上面図である。図４（Ｃ）は図４（Ｂ）のｂ−ｂ線に沿った断面図である。
【００３１】
図４（Ｃ）に示すように添加物３が充填されたカートリッジ４１は、主として、円筒状の側壁４３と、当該側壁４３に一体的に形成された天板４５と、側壁４３の下端側に一体的に形成されたフランジ部４７と、当該フランジ部の底面側に貼付されたアルミ箔（シール材）４９と、を有している。
【００３２】
天板４５の上面側は湾曲凹状（すり鉢状）に形成されており、その中央付近には突起状の把手４６が一体的に設けられている。
【００３３】
カートリッジ４１の内側には、容器本体１１内のミネラル飲料水２に対して添加，混合される添加物３（たとえば風味の素や栄養素など）が収容されている。添加物３は、図４（Ｃ）に示すようにアルミ箔４９によって気密シールされた状態でカートリッジ４１内に収容されている。
【００３４】
上記構成のカートリッジ４１は、容器本体１１の口元部分１３の内側通路を通行可能であるが、段部１５を通過することが不可能な形状および寸法を有するように形成されている。すなわち、本実施形態において、カートリッジ４１のフランジ部４７は、容器本体１１の環状段部１５の内径よりも大きな外径を有するように形成されている。これにより、開口部１９へのカートリッジ４１の押込み操作の際には、フランジ部４７が段部１５に引っ掛かるので、当該カートリッジ４１の飲料水中への落下が防止されるようになっている。
【００３５】
カートリッジ４１に充填される添加物３の種類は特に限定されないが、その例としては、たとえばお茶成分，コーヒー成分，辛味成分，香料，果汁，糖類，塩，乳酸菌，各種ビタミン，ミネラル，アミノ酸，コラーゲン，粉状・粒状・顆粒状・タブレット状・液体状・ペースト状の加工食品のいずれか１種、又はこれらの２種以上の混合物を挙げることができる。
【００３６】
上記お茶成分の例としては、たとえば、緑茶，梅昆布茶，番茶，焙じ茶，紅茶などの成分が挙げられる。
【００３７】
また、上記果汁の例としては、たとえば、レモン，リンゴ，桃，ブルーベリーなどの果汁が挙げられる。
【００３８】
さらに、上記粉状・粒状・顆粒状・タブレット状の加工食品の例としては、たとえば、フリーズドライ製法によって製造した加工食品が挙げられる。
【００３９】
〔飲用手順〕
次に、図５〜図８に基づいて、容器１及びカートリッジ４１を用いた飲用手順について説明する。
【００４０】
飲用する際には、まず、図５に示すようにキャップ３１を回転させながら取り外し、開栓する。続いて、カートリッジ４１を、図示するように容器本体１１の口元部分にセットして、当該カートリッジ４１内の添加物３をミネラル飲料水２に添加する作業を行う。
【００４１】
ミネラル飲料水２に添加物３を添加する際には、図６に示すように、カートリッジ４１のアルミ箔４９が穿孔部材６１の側を向いた状態で当該カートリッジを開口部１９を介して押し込む。このとき、口元部分の内壁の一部がガイドとなって、段部１５より上側でカートリッジ４１をスライドさせることができる。その結果、カートリッジ４１の押し込み・引く抜き操作を安定的に且つ確実に行うことが可能になる。
【００４２】
そして、カートリッジ４１を押し込むと、図６に示すように穿孔部材６１が弾性変形するとともに、突起６３，６５によってアルミ箔１７，４９が穿孔される。続いて、把手４６を摘まんでカートリッジを１／４回転ほど回転させると、穿孔部材６１の突起６３，６５によってアルミ箔１７，４９が幅広く裂開される。これにより、カートリッジ内部の添加物３が自重により落下し始め、飲料水中へ投下される。
【００４３】
そして、添加物３の投下が完了したら、カートリッジ４１に対する押圧を弱める。すると、弾性変形した穿孔部材６１の復元力によって、カートリッジ４１が図５に示す初期位置に押し戻されるとともに、突起６３，６５がアルミ箔１７，４９から引き抜かれる。
【００４４】
次に、図７に示すように、容器本体１１の口元部分の内側からカートリッジ４１及び穿孔部材６１を抜き取る。そして、必要に応じてキャップ３１で栓をして、容器本体１１をよく振って、ミネラル飲料水２と添加された添加物３とを十分に混合させる。混合を終えたら再びキャップ３１を取り外し、ミネラル飲料水２と添加物３とをミックスした飲料を飲用する。その際には、取り外したキャップ３１をコップとして利用しもよい。
【００４５】
飲用を終えたときに容器に飲料が残っている場合には、必要に応じて、図８に示すように再びキャップ３１で栓をして保管してもよい。
【００４６】
〔本発明のカートリッジによって達成される優れた効果〕
上述した本発明によれば、カートリッジ４１には、ミネラル飲料水２に対して添加，混合される添加物３（お茶，コーヒー，各種ビタミンなどの無害成分）が充填されている。したがって、飲用直前に好みのカートリッジ４１を選び、ミネラル飲料水２に対して当該カートリッジ４１内の添加物３を添加することにより、所望の飲料を自分で用意することができる。その結果、出来立てで風味の良好な飲料（たとえば炒りたてで香り豊かな味わいのコーヒー）や、保存料等の有害物質を含むことのない安全な飲料を、いつでも手軽に楽しむことが可能になる。
【００４７】
また、カートリッジ４１に収容された添加物３を自分の手で添加，混合することにより、自分に合った飲料（たとえば、好みの風味の飲料や、自分に不足している栄養分を含有した飲料）を自らの手で用意するといった作業を手軽に楽しむことができる。
【００４８】
また、本発明によれば、様々な種類の添加物を収容したカートリッジ４１を提供することができる。その結果、飲用者は、健康状態や自分の好みに応じてカートリッジ４１を選ぶことが可能になるとともに、様々なタイプの飲料を手軽に楽しむことが可能になる。
【００４９】
さらに、本発明によれば、カートリッジ４１は、穿孔部材６１を備えた容器１との組合せで用いられるので、カートリッジ４１のアルミ箔４９を簡単に穿孔することができる。その結果、カートリッジ４１内の添加物を、迅速にミネラル飲料水に添加することができる。また、カートリッジ４１はアルミ箔４９によって気密シールされているので、収容された添加物３の状態を長期間に亘って良好に保つことができる。
【００５０】
さらに、本発明によれば、カートリッジ４１を容器本体１１の開口部１９に押し込む際に、その把手４６を掴みながら回転させることができるようになっている。その結果、カートリッジ４１のアルミ箔４９を大きく切り裂くことができるので、カートリッジ４１から添加物３を落下させ易くなる。その結果、添加物３をより簡単にミネラル飲料水２に対して添加することができる。
【００５１】
さらに、本発明によれば、カートリッジ４１は、段部１５を超えて容器本体１１の内側へ進入しないようになっている。これにより、カートリッジ４１の押込み操作の際に、当該カートリッジが飲料水２中に落下することを防止することができる。
【産業上の利用可能性】
【００５２】
本発明は、風味の良好な飲料（たとえば炒りたてで香り豊かな味わいのコーヒー）や、保存料等の有害物質を含むことのない安全な飲料を、いつでも手軽に楽しむことを可能にする容器を提供するのに好適である。
【図面の簡単な説明】
【００５３】
【図１】カートリッジとの組合せで用いられる飲料用容器の主要部分を示す縦断面図である。
【図２】図１の容器が有する容器本体を示す縦断面図である。
【図３】図１の容器が有する穿孔部材を示す図であって、図３（Ａ）は穿孔部材を示す上面図であり、図３（Ｂ）は穿孔部材を示す側面図である。
【図４】図１の容器が有するカートリッジを示す図であって、図４（Ａ）はカートリッジを示す斜視図であり、図４（Ｂ）はカートリッジを示す上面図であり、図４（Ｃ）は図４（Ｂ）のｂ−ｂ線に沿った断面図である。
【図５】図１の容器及び図４のカートリッジを用いて飲用する際の手順（１）を示す図である。
【図６】図１の容器及び図４のカートリッジを用いて飲用する際の手順（２）を示す図である。
【図７】図１の容器及び図４のカートリッジを用いて飲用する際の手順（３）を示す図である。
【図８】図１の容器及び図４のカートリッジを用いて飲用する際の手順（４）を示す図である。
【図９】一般的に市販されているタイプのＰＥＴボトル入り飲料を示す図である。
【符号の説明】
【００５４】
１        容器
２        ミネラル飲料水
３        添加物
１１      容器本体
１３      口元部分
１５      段部
１７      アルミ箔（シール材）
１９      開口部（通路）
３１      キャップ
４１      カートリッジ
４３      側壁
４５      天板
４６      把手
４７      フランジ部
４９      アルミ箔（シール材）
６１      穿孔部材（孔あけバネ）
６３      上突起
６５      下突起
【図１】
2006143296.tif 000003
【図２】
2006143296.tif 000004
【図３】
2006143296.tif 000005
【図４】
2006143296.tif 000006
【図５】
2006143296.tif 000007
【図６】
2006143296.tif 000008
【図７】
2006143296.tif 000009
【図８】
2006143296.tif 000010
【図９】
2006143296.tif 000011